(57)【特許請求の範囲】
【請求項１】
複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記アナログ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【請求項２】
複数の移動無線端末と交信可能な少なくとも１つ以上の無線基地局と、
前記無線基地局とネットワークで接続され、ＩＳＤＮ網とのＩ／Ｆを有す少なくとも１つ以上のＩＳＤＮ回線端末と、
前記無線基地局と、前記ＩＳＤＮ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記ＩＳＤＮ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【請求項３】
複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末とネットワークで接続され、ＩＳＤＮ網とのＩ／Ｆを有す少なくとも１つ以上のＩＳＤＮ回線端末と、
前記無線基地局と、前記アナログ回線端末と、前記ＩＳＤＮ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記アナログ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記ＩＳＤＮ回線端末は第３端末番号設定手段と、前記第３端末番号設定手段により設定された第３端末番号を読み出す手段と、読み出された前記第３端末番号を用いて請求項１ないし第１ないし第４のいずれか１つのＩＰアドレス設定方法に従い第３ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【請求項４】
複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、
前記アナログ回線端末は第２アドレス記憶部と、第２端末番号設定手段と、少なくとも前記通信システムの電源投入時に、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【請求項５】
複数の移動無線端末と交信可能な少なくとも１つ以上の無線基地局と、
前記無線基地局とネットワークで接続され、ＩＳＤＮ網とのＩ／Ｆを有す少なくとも１つ以上のＩＳＤＮ回線端末と、
前記無線基地局と、前記ＩＳＤＮ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、
前記ＩＳＤＮ回線端末は第２アドレス記憶部と、第２端末番号設定手段と、少なくとも前記通信システムの電源投入時に、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【請求項６】
複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末とネットワークで接続され、ＩＳＤＮ網とのＩ／Ｆを有す少なくとも１つ以上のＩＳＤＮ回線端末と、
前記無線基地局と、前記アナログ回線端末と、前記ＩＳＤＮ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、前記アナログ回線端末は第２アドレス記憶部と、第２端末番号設定手段と、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記ＩＳＤＮ回線端末は第３アドレス記憶部と、第３端末番号設定手段と、少なくとも前記通信システムの電源投入時に、前記第３アドレス記憶部にＩＰアドレスが記憶されていれば、そのＩＰアドレスを設定し、前記第３アドレス記憶部にＩＰアドレスが記憶されてなければ、前記第２端末番号設定手段から読み出した端末番号を用いて第１ないし第４のいずれか１つのＩＰアドレス設定方法に従い第３ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【発明の詳細な説明】
【０００１】
【産業上の利用分野】
本発明は構内においてネットワークを介して音声通話サービスやデータ通信サービスを提供する通信システムに関する。
【０００２】
【従来の技術】
従来、パソコンなどで、ＩＰ（インターネット・プロトコル）アドレスを設定するには、ユーザが所定のアドレス管理機構からＩＰアドレスを取得し、キーボードからＩＰアドレスを打ち込み設定を行っていた。あるいは、ＢＯＯＴＰ（ブートストラップ・プロトコル）、ＤＨＣＰ（ダイナミック・ホスト・コンフィギュレーション・プロトコル）などのプロトコルにより、システムがＩＰアドレスを設定していた。あるいは、あらかじめ、ＩＰアドレスを取得し、生産時にＲＯＭに書き込んでいた。
【０００３】
【発明が解決しようとする課題】
ところが、一般的にＩＰアドレスを設定するにはまず、ＪＰＮＩＣ（ジャパン・ネットワーク・インフォーメーション・センター）にＩＰアドレス取得申請を行わなければならないなど、ユーザに専門的知識がないとＩＰアドレスの設定は非常に難しい。また、仮に、専門的な知識があったとしても、本システムのように、キーボードやコンソールが不要の専用機にＩＰアドレス設定のためだけにキーボードやコンソールを付けるのは、非常にコストがかかり、無駄である。また、ＢＯＯＴＰ、ＤＨＣＰ等のプロトコルによりＩＰアドレスを自動的に設定するには、ＩＰアドレスを設定するだけのために特別なサーバを用意しなければならず、非常にコストがかかる。また、あらかじめ、ＩＰを取得し、生産時にＲＯＭに書き込む方法では、端末毎にＲＯＭを変更しなければならず、月数万台生産する場合には、非常に生産効率が悪くなりコスト増となる。
【０００４】
したがって、本発明はユーザに専門的知識がなくても、また、キーボードやコンソールなどコスト上昇を伴う装置がなくてもＩＰアドレスの設定が可能である通信システムを提供することを目的とする。
【０００５】
【課題を解決するための手段】
上記目的を達成するため、本発明は、以下の１）〜６）記載の手段より成る。
すなわち、
【０００６】
１）複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記アナログ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
２）複数の移動無線端末と交信可能な少なくとも１つ以上の無線基地局と、
前記無線基地局とネットワークで接続され、ＩＳＤＮ網とのＩ／Ｆを有す少なくとも１つ以上のＩＳＤＮ回線端末と、
前記無線基地局と、前記ＩＳＤＮ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記ＩＳＤＮ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
３）複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末とネットワークで接続され、ＩＳＤＮ網とのＩ／Ｆを有す少なくとも１つ以上のＩＳＤＮ回線端末と、
前記無線基地局と、前記アナログ回線端末と、前記ＩＳＤＮ回線端末と、ネットワークで接続された回線コントローラからなる通信システムにおいて、
前記無線基地局の少なくとも１つは第１端末番号設定手段と、前記第１端末番号設定手段により設定された第１端末番号を読み出す手段と、読み出された前記第１端末番号を用いて第１ないし第４のいずれか１つのＩＰアドレス設定方法に従い第１ＩＰアドレスを設定する手段とを有し、
前記アナログ回線端末は第２端末番号設定手段と、前記第２端末番号設定手段により設定された第２端末番号を読み出す手段と、読み出された前記第２端末番号を用いて第１ないし第４のいずれか１つのＩＰアドレス設定方法に従い第２ＩＰアドレスを設定する手段とを有し、
前記ＩＳＤＮ回線端末は第３端末番号設定手段と、前記第３端末番号設定手段により設定された第３端末番号を読み出す手段と、読み出された前記第３端末番号を用いて請求項１ないし第１ないし第４のいずれか１つのＩＰアドレス設定方法に従い第３ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
４）複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、
前記アナログ回線端末は第２アドレス記憶部と、第２端末番号設定手段と、少なくとも前記通信システムの電源投入時に、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
５）複数の移動無線端末と交信可能な少なくとも１つ以上の無線基地局と、
前記無線基地局とネットワークで接続され、ＩＳＤＮ網とのＩ／Ｆを有す少なくとも１つ以上のＩＳＤＮ回線端末と、
前記無線基地局と、前記ＩＳＤＮ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、
前記ＩＳＤＮ回線端末は第２アドレス記憶部と、第２端末番号設定手段と、少なくとも前記通信システムの電源投入時に、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
６）複数の移動無線端末と交信可能な少なくとも１つ以上の無線基地局と、
前記無線基地局とネットワークで接続され、アナログ公衆網とのＩ／Ｆを有す少なくとも１つ以上のアナログ回線端末と、
前記無線基地局と、前記アナログ回線端末とネットワークで接続され、ＩＳＤＮ網とのＩ／Ｆを有す少なくとも１つ以上のＩＳＤＮ回線端末と、
前記無線基地局と、前記アナログ回線端末と、前記ＩＳＤＮ回線端末と、ネットワークで接続された回線コントローラからなる通信システムにおいて、
前記無線基地局の少なくとも１つは第１アドレス記憶部と、第１端末番号設定手段と、少なくとも前記通信システムの電源投入時に、前記第１アドレス記憶部にＩＰアドレスが記憶されていれば、そのＩＰアドレスを設定し、前記第１アドレス記憶部にＩＰアドレスが記憶されてなければ、前記第１端末番号設定手段から読み出した端末番号を用いて第１ないし第４のいずれか１つのＩＰアドレス設定方法に従い第１ＩＰアドレスを設定する手段とを有し、前記アナログ回線端末は第２アドレス記憶部と、第２端末番号設定手段と、前記第２アドレス記憶部にＩＰアドレスが記憶されていれば、そのＩＰアドレスを設定し、前記第２アドレス記憶部にＩＰアドレスが記憶されてなければ、前記第２端末番号設定手段から読み出した端末番号を用いて第１ないし第４のいずれか１つのＩＰアドレス設定方法に従い第２ＩＰアドレスを設定する手段とを有し、
前記ＩＳＤＮ回線端末は第３アドレス記憶部と、第３端末番号設定手段と、少なくとも前記通信システムの電源投入時に、前記第３アドレス記憶部にＩＰアドレスが記憶されていれば、そのＩＰアドレスを設定し、前記第３アドレス記憶部にＩＰアドレスが記憶されてなければ、前記第２端末番号設定手段から読み出した端末番号を用いて第１ないし第４のいずれか１つのＩＰアドレス設定方法に従い第３ＩＰアドレスを設定する手段とを有し、
前記第１のＩＰアドレス設定方法を、端末番号１〜端末番号６５５３４をユーザが自由に使えるプライベートアドレスである（１９２．１６８．ｘ．ｘ）のｘ．ｘに相当する２数字群に割り当て、少なくともプライベートアドレスを設定可能に設けた端末番号設定手段で設定することによりＩＰアドレスを割り当てる設定方法とし、
前記第２のＩＰアドレス設定方法を、端末番号６５５３７〜端末番号１０４８５７４をユーザが自由に使えるプライベートアドレスである（１７２．１６．０．１）〜（１７２．３１．２５５．２５４）に割り当て、少なくともプライベートアドレスを設定可能に設けた端末番号設定手段で設定することによりＩＰアドレスを割り当てる設定方法とし、
前記第３のＩＰアドレス設定方法を、端末番号１〜端末番号１６７７７２１４をユーザが自由に使えるプライベートアドレスである（１０．ｘ．ｘ．ｘ）のｘ．ｘ．ｘに相当する３数字群に割り当て、少なくともプライベートアドレスを設定可能に設けた端末番号設定手段で設定することによりＩＰアドレスを割り当てる設定方法とし、
前記第４のＩＰアドレス設定方法を、端末番号１〜端末番号２５４をユーザが自由に使えるプライベートアドレスである（１９２．１６８．ｘ．ｘ）の最後のｘに相当する第４の数字群に割り当て、割り当てた端末番号に基づいて端末番号設定手段が設定した値を最初のｘに相当する第３の数字群に割り当てることによりＩＰアドレスを割り当てる設定方法としたことを特徴とする通信システム。
【０００７】
【発明の実施の形態】
以下、図面を参照して本発明の好ましい実施の形態について説明する。図１は本発明に適用されるＩＰアドレス設定方法の好ましい第１の実施の形態を示すフローチャートである。図１のフローチャートについて説明する前に、本発明が適用される通信システムについて図２に沿って説明する。無線基地局４０は複数の移動端末５１〜５３と無線通信が可能であり、また構内ＬＡＮをイーサネット（Ｅｔｈｅｒｎｅｔ）により構築している。このイーサネットには回線コントローラ１０とＩＳＤＮ回線端末２０、ＰＳＴＮ回線端末３０が接続されている。ＩＳＤＮ回線端末２０とＰＳＴＮ回線端末３０はＩＳＤＮ／公衆網６０が接続されている。図２では単一の無線基地局４０のみが示されているが、例えば１つのビル内の各部屋毎に無線基地局を設けることができ、複数の無線基地局がイーサネットに接続され、構内ＬＡＮを構築しているものとする。
【０００８】
第１の実施の形態では、各無線基地局にアドレス記憶部がない場合について、端末番号１〜２５４にＩＰアドレスを割り当てる方法について説明する。図１はＩＰアドレスを割り当てるときの手順を示しているが、ここでは、ロータリスイッチを２つ使った例を示す。すなわち、各無線基地局（４０で代表する）には図２に示すように２つのロータリスイッチ４０Ａ、４０Ｂが、設けられている。これら２つのロータリスイッチ４０Ａ、４０ＢはＩＳＤＮ回線端末２０とＰＳＴＮ回線端末３０を含む他の端末にも同様に設けられていて、以後これら２つのロータリスイッチをロータリスイッチ１、２と呼ぶことにする。ユーザはロータリスイッチ１に、例えば３０を（ステップＳ１）、ロータリスイッチ２に端末番号として、例えば１５を設定し（ステップＳ２）、端末の電源を入れる（ステップＳ３）。端末はロータリスイッチ１を読み出し、ＩＰアドレスの第３群目の数字を３０とする（ステップＳ４）。次に、端末はロータリスイッチ２を読み出し、端末番号をＩＰアドレスの第４群目の数字とする（ステップＳ５）。第１群目と第２群目の数字はそれぞれ１９２、１６８に固定されているので、ＩＰアドレスは１９２．１６８．３０．１５に設定される（ステップＳ６）。
【０００９】
ここで、ＩＰアドレスについて説明すると、ＩＰアドレスはインターネット用に規定されているＴＣＰ／ＩＰ（トランスミッション・コントロール・プロトコル／インターネット・プロトコル）によれば、ネットワーク内及びネットワーク間のデータ・パケットの送受信を制御するもので、ＯＳＩ参照モデルのネットワーク層（第３層）のコネクションレス型プロトコルであるＩＰ（インターネット・プロトコル）（ＲＦＣ７９１）の１つの機能である。ＩＰアドレスは３２ビットで構成され、先頭の１〜４ビットでアドレスの種類（クラス）を識別し、その後にネットワークアドレス、ホストアドレスなどが続く。また、ＲＦＣ１９１８によれば、ＩＰアドレスとして次の３群のアドレスがプライベートアドレスとして、自己のネットワーク内だけで閉じられたシステム用などに用いることができる。
【００１０】
0003714770.tif 000002
【００１１】
上記説明では、無線基地局４０は２つのロータリスイッチ１、２を用いてＩＰアドレスを設定するとしたが、１つのロータリスイッチに２００以上の接点を設けることは、通常のロータリスイッチとしては一般的でないので、可動接点が接触可能な０〜Ｆの１６の固定接点を有するロータリスイッチを４個組み合わせて上記２つのロータリスイッチの代用とすることができる。なお、ロータリスイッチの代りに、ディップスイッチを用いることも可能である。また、回線コントローラ１０、ＩＳＤＮ回線端末２０、ＰＳＴＮ回線端末３０についても、上記無線基地局４０の説明と同様に２つのロータリスイッチ１、２を用いてＩＰアドレスを設定することができる。
【００１２】
なお、上記第１の実施の形態では表１中の１９２．１６８．０．０  〜  １９２．  １６８．  ２５５．  ２５５を用いる場合を示したが、他のアドレスである、１０．    ０．０．０  〜  １０．  ２５５．  ２５５．  ２５５と、１７２．  １６．０．０  〜  １７２．    ３１．  ２５５．  ２５５も同様に用いることができる。したがって、例えば、端末番号１〜端末番号６５５３４をユーザが自由に使えるプライベートアドレスである（１９２．１６８．ｘ．ｘ）のｘ．ｘに相当する２数字群に割り当てることによりＩＰアドレスを割り当てたり、端末番号６５５３７〜端末番号１０４８５７４をユーザが自由に使えるプライベートアドレスである（１７２．１６．０．１）〜（１７２．３１．２５５．２５４）に割り当てたり、端末番号１〜端末番号１６７７７２１４をユーザが自由に使えるプライベートアドレスである（１０．ｘ．ｘ．ｘ）のｘ．ｘ．ｘに相当する３数字群に割り当てたり、さらに端末番号１〜端末番号２５４をユーザが自由に使えるプライベートアドレスである（１９２．１６８．ｘ．ｘ）の第４の数字群に割り当て、番号設定手段で設定された値を第３の数字群に割り当てることによりＩＰアドレスを割り当てたりすることができる。
【００１３】
次に、本発明の第２の実施の形態としてアドレス記憶部がある場合について、任意のＩＰアドレスを割り当てる方法について説明する。第２の実施の形態が適用されるネットワークも図２に示したものと同一であるものとする。図３は第２の実施の形態によるＩＰアドレスを割り当てる手順を示すフローチャートであり、図４はＩＰアドレス変更時のシーケンス図である。ここでは、無線基地局４０、アナログ回線端末３０、ＩＳＤＮ回線端末２０、回線コントローラ１０にＩＰアドレスを設定する場合について説明する。したがって、これらの各装置には２つのロータリスイッチ１、２があらかじめ設けられているものとする（図２では無線基地局４０のロータリスイッチ１、２のみが示されている）。
【００１４】
まず、ユーザはアナログ回線端末３０のロータリスイッチ１に３０を、ロータリスイッチ２に端末番号１５を設定し（ステップＳ１、Ｓ２）、アナログ回線端末３０の電源を入れる（ステップＳ３）。アナログ回線端末３０は、アドレス記憶部を読み出し（ステップＳ７）、アドレスが記憶・設定されているかどうか判断する（ステップＳ８）。一番最初はアドレスが記憶・設定されていないので、アナログ回線端末３０はロータリスイッチ１を読み出し、ＩＰアドレスの第３群目の数字を３０とする（ステップＳ４）。次に、アナログ回線端末３０はロータリスイッチ２を読み出し、端末番号をＩＰアドレスの第４群目の数字とする（ステップＳ５）。そして、図１と同様にＩＰアドレスを１９２．１６８．３０．１５に設定する（ステップＳ６）。ここで回線コントローラ１０からＩＰアドレス変更コマンド（要求）を受信している場合は、ステップＳ１０がＹＥＳとなって、ステップＳ１１でステップＳ６で設定されＩＰアドレスをアドレス記憶部に記憶し、ステップＳ７へ戻る。
【００１５】
次にユーザはＩＳＤＮ回線端末２０のロータリスイッチ１に３０を、ロータリスイッチ２に端末番号１６を設定し、ＩＳＤＮ回線端末２０の電源を入れる。ＩＳＤＮ回線端末２０は、アドレス記憶部を読み出し、アドレスが記憶・設定されているかどうか判断する。以下上記図３の説明と同様に一番最初はアドレスが記憶・設定されていないので、ＩＳＤＮ回線端末はロータリスイッチ１を読み出し、ＩＰアドレスの第３群の番号を３０とする。次に、ＩＳＤＮ回線端末２０はロータリスイッチ２を読み出し、端末番号をＩＰアドレスの第４群目の数字とする。そして、ＩＰアドレスを１９２．１６８．３０．１６に設定する。
【００１６】
次にユーザは無線基地局４０のロータリスイッチ１に３０を、ロータリスイッチ２に端末番号１７を設定し、無線基地局４０の電源を入れる。無線基地局４０は、アドレス記憶部を読み出し、アドレスが記憶・設定されているかどうか判断する。一番最初はアドレスが記憶・設定されていないので、無線基地局４０はロータリスイッチ１を読み出し、ＩＰアドレスの第３群目の数字を３０とする。次に、無線基地局４０はロータリスイッチ２を読み出し、端末番号をＩＰアドレスの第４群目の数字とする。そして、ＩＰアドレスを１９２．１６８．３０．１７に設定する。回線コントローラ１０のＩＰアドレスは仮に、１９２．１６８．３０．２５０とする。
【００１７】
図４は、回線コントローラ１０が他の端末（無線基地局４０、アナログ回線端末３０、ＩＳＤＮ回線端末２０）を制御してＩＰアドレスを順次設定する場合の手順を示すシーケンス図である。回線コントローラ１０は各端末のＩＰアドレス変更の指示をユーザから受けると、各端末にＩＰアドレス変更コマンドを発行する。すなわち、回線コントローラ１０はアナログ回線端末３０に、変更するＩＰアドレスをパラメータとし、ＩＰアドレス変更コマンドを送信する（ステップＳ２０）。アナログ回線端末３０はＩＰアドレス変更コマンドを受信すると、変更受付コマンドを返送（ステップＳ２２）し、その後、アドレス記憶部にＩＰアドレスを記憶する（ステップＳ２１）。そして、アドレス記憶部を読み出す。今度はアドレスが記憶・設定されているので、その値をＩＰアドレスとして設定する（ステップＳ２１）。以降は、電源を再度オンにしても、アドレス記憶部に設定されたアドレスをＩＰアドレスとして設定する。回線コントローラ１０はＩＳＤＮ回線端末２０に、変更するＩＰアドレスをパラメータとし、ＩＰアドレス変更コマンドを送信する（ステップＳ２３）。
【００１８】
ＩＳＤＮ回線端末２０はＩＰアドレス変更コマンドを受信すると、変更受付コマンドを返送し（Ｓ２５）、その後、アドレス記憶部にＩＰアドレスを記憶する（ステップＳ２４）。そして、アドレス記憶部を読み出す。今度はアドレスが記憶・設定されているので、その値をＩＰアドレスとして設定する（ステップＳ２４）。以降は、電源を再度オンとしても、アドレス記憶部に記憶・設定されたアドレスをＩＰアドレスとして設定する。回線コントローラ１０は無線基地局４０に、変更するＩＰアドレスをパラメータとし、ＩＰアドレス変更コマンドを送信する（ステップＳ２６）。
【００１９】
無線基地局４０はＩＰアドレス変更コマンドを受信すると、変更受付コマンドを返送し（ステップＳ２８）、その後、アドレス記憶部にＩＰアドレスを記憶する（ステップＳ２７）。そして、アドレス記憶部を読み出す。今後はアドレスが記憶・設定されているので、その値をＩＰアドレスとして設定する（ステップＳ２７）。以降は、電源を再度オンとしても、アドレス記憶部に設定されたアドレスをＩＰアドレスとして設定する。すべての端末にＩＰアドレスの変更をかけた後に、回線コントローラ１０は自己のＩＰアドレスを変更する（ステップＳ２９）。以降は、変更後のＩＰアドレスで通信を行う。
【００２０】
上記実施の形態では、構内においてネットワークを介して音声通話サービスやデータ通信サービスを提供する通信システムにおいて、無線基地局４０の他にアナログ回線端末３０、ＩＳＤＮ回線端末２０、回線コントローラ１０が設けられている場合について説明したが、これらのアナログ回線端末３０、ＩＳＤＮ回線端末２０、回線コントローラ１０は全て必要なものではなく、必要に応じて無線基地局４０と組み合わせてネットワークを構成することができる。
【００２１】
【発明の効果】
本発明は上記構成なので、端末番号を設定するような感覚で、専門的な知識がなくても非常に簡単に装置のＩＰアドレスを設定することができる。また、端末番号を設定するためのディップスイッチ、あるいは、ロータリスイッチなどの端末番号設定手段でＩＰアドレスが設定されるため、キーボードやコンソールなどが不要になる。また、キーボードやコンソールがなくてもＩＰアドレスが設定できるようになるため、生産時に端末毎にＲＯＭを変更しなくてもよく、共通で使えるため、生産性が格段に向上する。さらに、本システムのように、ローカルなネットワークを組む場合に、ＩＰの申請をしなくてもよいため、申請料がかからない。また、既にネットワークを組んでいて、そのネットワークに合わせてＩＰアドレスを設定することもできる。
【図面の簡単な説明】
【図１】本発明の第１の実施の形態におけるＩＰアドレス設定の手順を示すフローチャートである。
【図２】本発明の通信システムの実施の形態の構成図である。
【図３】本発明の第２の実施の形態におけるＩＰアドレス変更の手順を示すフローチャートである。
【図４】本発明第２の実施の形態におけるＩＰアドレス変更のシーケンス図である。
【符号の説明】
１０  回線コントローラ
２０  ＩＳＤＮ回線端末
３０  ＰＳＴＮ回線端末
４０  無線基地局
４０Ａ、４０Ｂ  ロータリスイッチ（端末番号設定手段）
５１〜５３  移動無線端末
６０  ＩＳＤＮ／公衆網
【図１】
0003714770.tif 000003
【図２】
0003714770.tif 000004
【図３】
0003714770.tif 000005
【図４】
0003714770.tif 000006